(57)【特許請求の範囲】
【請求項１】
ナット体をシートベースに刻設したネジ部に螺合し、可動フードと前記ナット体とを連係体を介して相対回転自在にかつ一体で前記シートベースの軸線方向に沿って移動自在に連係し、前記連係体の軸線方向に沿った軸線長を前記可動フードの軸線方向に沿った軸線長より長く形成し、前記連係体に遊転体を外嵌してある釣り竿のリールシート。
【請求項２】
前記連係体を前記可動フードに一体形成してある請求項１記載の釣り竿のリールシート。
【請求項３】
前記連係体を前記ナット体に一体形成してある請求項１記載の釣り竿のリールシート。
【請求項４】
請求項１から３のうちのいずれかひとつに記載の釣り竿のリールシートを有する釣り竿。
【発明の詳細な説明】
【技術分野】
【０００１】
本発明は、釣り竿のリールシート及び釣り竿に関する。
【背景技術】
【０００２】
リールシートにおいては、シートベース部にネジ部を刻設し、そのネジ部にリール脚の一方を保持する可動フードを外嵌するとともにナット体を螺合させ、ナット体を回転操作することによって、可動フードをリール脚に対して遠近移動させる構成を採っている（特許文献１参照）。
【０００３】
【特許文献１】特開２００１−２５３３７号公報（段落番号〔００１６〕〔００１７    〕、図２）
【発明の開示】
【発明が解決しようとする課題】
【０００４】
上記のような構成において、釣り操作を行う場合には、手指をリール脚とリールシートとに巻回する。そうすると、ナット体に対して手の掌で強く握り込むこととなる。
竿を振って仕掛けを投入したり、竿を煽って仕掛けを巻き上げたりする場合には、ナット体に触れた手の掌の部分も細かく動きを生ずるために、その手の掌の部分がナット体に作用してそのナット体を緩める方向に操作することがあった。
【０００５】
本発明の目的は、可動フードとナット体との間に新たな機構を追加構成することによって、ナット体の緩みを抑制することのできる釣り竿のリールシート及び釣り竿を提供する点にある。
【課題を解決するための手段】
【０００６】
〔構成〕
請求項１に係る発明の特徴構成は、ナット体をシートベースに刻設したネジ部に螺合し、可動フードと前記ナット体とを連係体を介して相対回転自在にかつ一体で前記シートベースの軸線方向に沿って移動自在に連係し、前記連係体の軸線方向に沿った軸線長を前記可動フードの軸線方向に沿った軸線長より長く形成し、前記連係体に遊転体を外嵌してある点にあり、その作用効果は次の通りである。
【０００７】
〔作用〕
つまり、可動フードとナット体とを連係体で連結し、連係体に遊転体を外嵌した。これによって、手指をリール脚とリールシートとに巻回しても、手の掌は遊転体に接触するだけで、連係体によって可動フードから離間した位置にあるナット体とは接触する機会は少なくなる。
このような構成によって、竿を振って仕掛けを投入したり、竿を煽って仕掛けを巻き上げたりする場合であっても、手の掌は遊転体に接触しているだけであるので、遊転体は回転することがあっても、ナット体が遊転体によって回転駆動されることは少ない。
【０００８】
〔効果〕
以上のように、連係体によってナット体を可動フードより離間する構成を採用することによって、釣り操作時には手指がナット体に触れることを抑制するとともに、手指が接触する連係体の外周側には遊転体を外嵌することによって、釣り操作時に手指による回転操作が加わっても遊転体の回転によって吸収し、ナット体へその回転操作力が及ぶのを抑制することができた。
したがって、ナット体と可動フードとによるリール脚の保持機能を維持しながら、緩み難いナット体構造を提供できるに至った。
【０００９】
請求項２に係る発明の特徴構成は、請求項１に係る発明において、前記連係体を前記可動フードに一体形成してある点にあり、その作用効果は次の通りである。
【００１０】
〔作用効果〕
可動フードの一部として連係体を形成するので、連係部位を連係体とナット体との一箇
所に限定でき、連係構造の簡素化を図ることができるとともに、部品点数を少なくでき、
部品管理が容易である。
【００１１】
請求項３に係る発明の特徴構成は、請求項１に係る発明において、前記連係体を前記ナット体に一体形成してある点にあり、その作用効果は次の通りである。
【００１２】
〔作用効果〕
ナット体の一部として連係体を形成するので、連係部位を連係体と可動フードとの一箇
所に限定でき、連係構造の簡素化を図ることができるとともに、部品点数を少なくでき、
部品管理が容易である。
【００１３】
請求項４に係る発明の特徴構成は、請求項１から３のうちのいずれかひとつに記載の釣り竿のリールシートを有する釣り竿である点にあり、その作用効果は次の通りである。
【００１４】
〔作用効果〕
このようなリールシートを備えることによって、使い易い釣り竿を提供できるに至った。
【発明を実施するための最良の形態】
【００１５】
〔第１実施形態〕
筒状リールシートＡについて説明する。
筒状リールシートＡは、図１に示すように、元竿Ｂに装着され、竿先側にシートベース３に一体形成された固定フード２、竿尻側に可動フード１を配置し、可動フード１の竿尻側にナット体４を配置し、リール脚を挿入固定するように構成されている。筒状リールシートＡは、ナイロン樹脂やＡＢＳ樹脂で成形されており、その筒状シートベース３を元竿の所定位置に外嵌させて、接着剤等でその元竿に装着固定される。
【００１６】
シートベース３の可動フード１の装着部分から竿尻側端部に掛けて雄ネジ部３Ａが設けてあり、その雄ネジ部３Ａに可動フード１を外嵌するとともにナット体４を螺合させてある。
【００１７】
図１及び図２に示すように、可動フード１とナット体４との間には、連係体５が配置されており、連係体５はナット体４の一部としてナット本体４Ａから一体的に延出されている。連係体の内周面には、ナット本体４Ａの内周面に形成した雌ネジ部ａが形成されており、シートベース３の雄ネジ部３Ａに螺合すべく構成してある。
【００１８】
連係体５と可動フード１との間には連係構造が設けられている。図１及び図２に示すように、連係体５の竿先側端部には、内向きに曲げ形成された係合溝部５Ａが形成されており、可動フード１の竿尻側端部には、前記係合溝部５Ａに嵌係合可能な係合突起部１Ａが設けてある。
このような構成によって、係合突起部１Ａが係合溝部５Ａに係合すると、可動フード１と連係体５、牽いては、ナット体４が一体でシートベース３の軸線方向に移動可能であり、かつ、ナット体４と連係体５とが周方向において回転可能である。
係合突起部１Ａと係合溝部５Ａとは、形成対象を入れ替えて設けてよい。
【００１９】
一方、シートベース３の雄ネジ部３Ａには、周方向の一箇所にシートベース３の軸線方向に沿ったガイド溝（図示せず）が設けてあり、可動フード１の内周面から突設させた突起（図示せず）をガイド溝に係合させて、可動フード１を周方向には回転せずにシートベース３の軸線方向にのみ移動可能に構成する。
このような構成によって、ナット体４を回転操作すると、ナット体４と可動フード１とが一体でシートベース３の軸線方向に沿って一体で移動しながら、可動フード１は周方向には回転しない。
【００２０】
図１及び図２に示すように、連係体５の外周側には筒状の遊転体６が外嵌してあり、遊転体６が遊転状態に装着されている。
遊転体６を連係体５の外周側に外嵌するには、まず、連結体５の係合溝部５Ａを可動フード１の係合突起部１Ａに係合する前に行い、係合溝部５Ａの弾性変形性を利用してその係合溝部５Ａを強制的に少し縮径させて遊転体６を連係体５に外嵌し、その外嵌した状態で係合溝部５Ａを係合突起部１Ａに係合させ、係合部位をカシメ処理する。
【００２１】
このような処理を施すことによって、実釣時において、リール脚と筒状リールシートＡを伴握りした場合であっても、手の掌部分は遊転体６に接触するがナット体４には接触し難い。
そうすると、仕掛けの投入や巻上げ操作時に遊転体６に手の掌部分が強く接触しても、遊転体６が遊転するだけで、ナット体４を緩めることは抑制できる。
【００２２】
〔第２実施形態〕
第１実施形態と異なる連結体５の構成について説明する。第１実施形態においては、ナット体４に連係体５を一体形成した状態を記載したが、ここでは、可動フード１に一体形成する状態を示す。
図３及び図４に示すように、可動フード１の竿尻端側に筒状の部分を一体延設し、一体延設部分を連係体５として構成する。連係体５の竿尻端部分には、係合突起５Ｂを形成し、ナット体４の竿先側端部に形成された係合溝部４Ｂと嵌係合可能に構成してある。
このような構成によって、係合突起部５Ｂが係合溝部４Ｂに係合すると、可動フード１と連係体５、牽いては、ナット体４が一体でシートベース３の軸線方向に移動可能であり、かつ、ナット体４のみが周方向において回転可能である。
係合突起部と係合溝部とは、形成対象を入れ替えて設けてよい。
【００２３】
〔別実施形態〕
（１）遊転体６を外嵌させる対象として、筒状の連係体５を設けたが、必ずしも連係体５は筒状である必要はなく、図示してはいないが、アーチ状のものや半筒状のものであってもよい。
（２）連係体５としては、図示してはいないが、ナット体４又は可動フード１にビスや接着剤を利用して固定する別部品であってもよい。
（３）遊転体６としては、インナーレースとアウターレースとの間に転がり体を有するベアリングを使用してもよく、又、必ずしも、筒状のものではなく、リング状のものであってもよい。
（４）前記したリールシートＡを適用する釣り竿としては、釣糸ガイドを竿の外面に取り付けた外付け式の釣り竿だけでなく、糸挿通経路を竿内に形成する中通し竿にも適用可能である。
【図面の簡単な説明】
【００２４】
【図１】第１実施形態の筒状リールシートを元竿に取り付けた状態を示す側面図
【図２】筒状リールシートの第１実施形態を示す分解側面図
【図３】第２実施形態の筒状リールシートを元竿に取り付けた状態を示す側面図
【図４】筒状リールシートの第２実施形態を示す分解側面図
【符号の説明】
【００２５】
１            可動フード
３            筒状シートベース
４            ナット体
５            連係体
６            遊転体
【図１】
0005517413.tif 000002
【図２】
0005517413.tif 000003
【図３】
0005517413.tif 000004
【図４】
0005517413.tif 000005